(57)【特許請求の範囲】
【請求項１】
ＦＡＸ送信終了後、送信結果の送信情報とともに、送信画像が付加された送信結果レポートを出力するファクシミリ装置において、上記送信結果の送信情報および送信画像を記憶する記憶手段と、上記記憶手段から、送信結果の送信情報と送信画像を読み出して、所定サイズで送信結果レポートを作成する編集手段と、セットされている記録紙サイズを検出する記録紙検出部と、上記記録紙検出部によって検出された記録紙サイズが上記所定サイズより小さい場合、送信結果レポ−トを分割出力させる分割手段と、分割された送信結果レポートの最終ページが送信画像のみであるとき、最終ペ−ジの記録紙への出力を禁止し、分割された送信結果レポートの最終ページが送信画像のみではないとき、最終ページの記録紙への出力を行う出力制御手段を備えたことを特徴とするファクシミリ装置。
【発明の詳細な説明】
【０００１】
【発明の属する技術分野】
本発明は、ＦＡＸ送信終了後、送信結果レポ−トを出力するファクシミリ装置の改良に関する。
【０００２】
【従来の技術】
従来、ＦＡＸ送信終了後、図５に例示するような送信結果に関する情報とともに、主に照合確認用としての送信画像の一部が付加された送信結果レポートを出力するファクシミリ装置が知られている。
【０００３】
この送信結果レポートは、通常、Ａ４サイズのフォーマットで作成され、Ａ４サイズの記録紙に出力される。例えば、Ａ４サイズ一枚で足りる場合には、送信結果に関する情報と、それに続く送信画像の先頭部分が、また、送信結果に関する情報が複数ページに亘る場合には、最終ページの残り部分に送信画像の先頭部分が出されるようになっている。その際、給紙カセットにＡ４サイズの記録紙がなく、Ｂ５横向けサイズの記録紙がセットされている場合、又はＢ５サイズの記 録紙に出力するように指定される場合、送信結果レポ−トは、Ｂ５横向けサイズの記録紙に対応するように分割され、このＢ５横向けサイズの記録紙に、所要枚数分を用いて出力される。
【０００４】
【発明が解決しようとする課題】
一般に、上記従来のファクシミリ装置では、Ａ４サイズのフォ−マットで作成された送信結果レポートをＢ５横向けサイズの記録紙に分割出力する場合、２枚目の記録紙には、送信画像だけが出力される場合がある。
【０００５】
ところが、送信結果レポートは、送信状態を確認するためのものであり、すべての場合に送信画像を一律に出力する必然性があるのでもない。
【０００６】
本発明は、上記に鑑みてなされたもので、最終ページが送信画像のみの場合に、この最終ページの出力を禁止して記録紙の浪費を防止するファクシミリ装置を提供することを目的とする。
【０００７】
【課題を解決するための手段】
上記問題を解決するために、ＦＡＸ送信終了後、送信結果の送信情報とともに、送信画像が付加された送信結果レポートを出力するファクシミリ装置において、上記送信結果の送信情報および送信画像を記憶する記憶手段と、上記記憶手段から、送信結果の送信情報と送信画像を読み出して、所定サイズで送信結果レポートを作成する編集手段と、セットされている記録紙サイズを検出する記録紙検出部と、上記記録紙検出部によって検出された記録紙サイズが上記所定サイズより小さい場合、送信結果レポ−トを分割出力させる分割手段と、分割された送信結果レポートの最終ページが送信画像のみであるとき、最終ペ−ジの記録紙への出力を禁止し、分割された送信結果レポートの最終ページが送信画像のみではないとき、最終ページの記録紙への出力を行う出力制御手段を備えたものである。
【０００８】
これにより、送信結果レポ−トは、編集手段によって送信結果の送信情報に送信画像が付加されるとともに、分割手段によって記録紙のサイズに応じて分割される。そして、この送信結果レポ−トは、出力制御手段によって最終ペ−ジが送信画像のみの場合、最終ペ−ジの送信画像は記録紙に出力されない。
【０００９】
【発明の実施の形態】
図１は、本発明に係るファクシミリ装置の一実施形態を示す全体斜視図、図２はその内部構成図である。
【００１０】
ファクシミリ装置は、装置本体１と、その頂部に配設された原稿自動搬送機構２とからなり、装置本体１は、光学機構としてのスキャナーユニット３、像形成部４、給紙カセット部５、用紙搬送機構６、および操作パネル７を備えて画像形成可能に構成されている。
【００１１】
上記原稿自動搬送機構２は、原稿台８と、その右方に循環路を有して形成された原稿搬送路９とを備えるとともに、原稿搬送路には上流側から、給紙ローラ１０、捌きローラ対１１、搬送ローラ対１２、送りローラ１３及び排出ローラ対１４が配設されている。搬送ローラ対１２と送りローラ１３間には画像読取りのためのコンタクトガラス１５が配設されている。また、装置本体１の頂面開口には、略全長分に亘ってコンタクトガラス１６が配設されている。給紙ローラ１０は原稿台８上に積層された原稿の先端上面に図略のアームにより当接した状態にされており、その重みによって、原稿を送り出す。送り出された原稿は捌きローラ対１１で１枚ずつに捌かれた後、搬送ローラ対１２を介してコンタクトガラス１５上の原稿読取り位置に搬送される。そして、原稿読取り後に、送りローラ１３および排出ローラ対１４によって原稿搬送路９から原稿台８上の最下位に戻されるようになっている。給紙ローラ１０は捌きローラ対１１の順回転するローラとベルト掛けされて同期回転するようになされている。
【００１２】
また、スキャナーユニット３は、コンタクトガラス１５あるいは１６上に位置する原稿を走査するハロゲンランプを有する光源部３１を備え、この光源部３１からの光であって原稿面で反射されて得られた反射光を、複数の反射鏡３２ａ〜 ３２ｅおよびレンズ３３を介して主走査方向に平行なアレイ状に光センサが配設されてなるＣＣＤ３４に導き、該ＣＣＤ３４に原稿像を結像し、受光するようになっている。すなわち、コンタクトガラス１５上の原稿面で反射した光は、図２に一点鎖線で示すように、各反射鏡３２ａ〜３２ｅで順次反射され、レンズ３３を介して１ライン毎の原稿像として所定周期で、順次ＣＣＤ３４により受光される。また、ＣＣＤ３４で受光された１ライン毎の画像データは、順次、画像処理部３５に送られ、必要に応じて所定の画像処理が行われた後、記憶部１０１（図３参照）に記憶される。
【００１３】
なお、原稿自動搬送機構２の手前を持ち上げてマニュアルでコンタクトガラス１６上に原稿をセットすることも可能であり、この場合には、図略の走行ガイドや走行駆動モータ等を用いてスキャナーユニット３を同図鎖線矢印（副走査）方向に所定の速度で走行させてセットされた原稿の原稿面を走査するようにしている。
【００１４】
また、像形成部４は、レーザ発光部４０および図略の駆動手段によって時計方向に回転駆動される感光体ドラム４１を備えるとともに、この感光体ドラム４１の周囲に、その回転方向の上流側から主帯電部４２、現像部４３、転写部４４、およびクリ−ニング部４５を備えて形成されている。感光体ドラム４１は、主帯電部４２により表面が均一帯電された後、レーザ発光部４０から変調された原稿像により露光されて静電潜像が形成される。この静電潜像は、現像部４３でトナーを付着されることによって顕在化され、ついで転写部４４で記録紙に転写される。なお、４３１はトナーカートリッジ、４３２はトナーカートリッジ４３１を装填するホッパーであり、感光体ドラム４１の軸方向に平行に配された所要本数の攪拌ローラ４３３により、トナーカートリッジ４３１からトナーをホッパー４３２に補給されたトナーを攪拌しながら現像部ローラ４３４に供給するようになっている。
【００１５】
また、給紙カセット部５は、例えば２段構成を有し、それぞれは記録紙を載置 する用紙載置板５１を備えた給紙カセット５２を側方から着脱自在にセットするようになっている。この用紙載置板５１の前端（図２右側）は、スプリング５３によって、支持板５４を介して上方に付勢され、給紙ローラ５５に当接するようになっている。この給紙ローラ５５には、この給紙ローラ５５と同方向に回転する捌きローラ５６が配されていて、記録紙の重送を防止するようになっている。また、給紙カセット５２の後方に近接する本体には、記録紙センサ５７が配されていて、給紙カセット５２の後端（図２左側）に識字コードに対応して配列設定された磁性部材５８（３ビット）からのコード信号を検知して、給紙カセット５２に記録紙のサイズを検出する記録紙検出部が構成されている。
【００１６】
また、上記用紙搬送機構６は、給紙カセット５２に収納されている記録紙を１枚ずつ送り出す給紙ローラ５５および捌きローラ５６によって繰り出し、繰り出された記録紙を、搬送ガイド中に設けられている搬送ローラ６１により、あるいは搬送ガイド板６２によって案内し、スキャナーユニット３の露光走査の開始タイミングと同期して駆動するレジストローラ対６３を介して像形成部４の転写部４４に導くとともに、転写後の記録紙を搬送ガイド板６４に沿って、熱ローラ６５ａおよび圧ローラ６５ｂを備えた定着部６５、さらに排出ローラ対６６を介して排紙トレイ６７に導く経路を形成している。これにより、給紙ローラ５４が駆動されると、記録紙は、レジストローラ対６３を介して転写部４４で、感光体ドラム４１表面に付着されたトナーが転写され、このトナーは、定着部６６で定着される。
【００１７】
図３は、上記ファクシミリ装置における制御系の一例を示すブロック図である。同図において、主制御部１００は、マイコン等から構成されていて、受信データを蓄積する記憶部１０１に入出力自在に接続されている。
【００１８】
また、主制御部１００は、スキャナーユニット３に接続されており、原稿面の画像データを光源部３１からＣＣＤ３４および画像処理部３５を介して入力するようになっている。また、主制御部１００は、記録処理部１０２を介して像形成 部４に信号を出力するとともに、用紙搬送機構の各ローラ等を駆動させるモータ駆動部１０３に信号を出力するようになっている。これにより、ＦＡＸ受信があると、記憶部１０１から読出された受信原稿は記録処理部１０２によって画像処理され、像形成部４で用紙搬送機構６によって給紙される記録紙に印字が行われる。その際、給紙カセット５２にセットされた記録紙のサイズは、主制御部１００で、記録紙センサ５７からの検出信号によって識別される。
【００１９】
また、主制御部１００は、ＦＡＸ送信を制御する。この場合、送信原稿が原稿自動搬送機構２にセットされ、スキャナーユニット３により原稿画像が順次読み取られる。読み取られた画像データは符号・復号化部１０４を介して符号化された後、モデム１０５へ導かれ、ＮＣＵ１０６を介して電話回線に送信される。
【００２０】
そして、上記主制御部１００内には、送信結果の情報および送信画像を記憶するＲＡＭ１０７が配されるとともに、該ＲＡＭ１０７に記憶された送信結果の情報に、送信画像を付加する編集手段１０８と、該編集手段１０８によって作成された送信結果レポートを記録紙のサイズに応じて分割する分割手段１０９と、該分割手段１０９によって分割された送信結果レポートの最終ページが送信画像のみの場合、該最終ページを出力しないように制御する出力制御手段１１０とを備えている。これにより、上記ＲＡＭ１０７から、送信結果の送信情報と送信画像を読み出して、所定サイズで送信結果レポートを作成し、かつ上記記録紙センサ５７によって検出された記録紙サイズが上記所定サイズより小さい場合、分割出力される送信結果レポートの最終ページが送信画像のみであるとき、最終ページを出力しないようになっている。送信情報か、送信画像かの判別は、編集手段１０８で編集処理される際の境界やＲＡＭ１０７のデータ量に基づいて行われる。あるいはコードデータかイメージデータかで判断するようにしてもよい。
【００２１】
次に、上記構成の制御動作の一例について図４のフローチャートを用いて説明する。
【００２２】
先ず、ステップＳ１で、ＦＡＸ送信が終了すると、ステップＳ２において、送信結果レポ−トを出力するか否かが判定される。送信結果レポ−トを出力しない場合は、そのまま終了し、送信結果レポ−トを作成する場合は、ステップＳ３に進む。
【００２３】
ステップＳ３では、Ａ４サイズの記録紙に出力するか否かが判定され、Ａ４サイズの記録紙に出力しない場合、ステップＳ４に進む。一方、Ａ４サイズの記録紙に出力する場合、ステップＳ５で、Ａ４サイズの記録紙がセットされているか否かが判定される。Ａ４サイズの記録紙がセットされていれば、ステップＳ６で、Ａ４サイズの記録紙に出力され、Ａ４サイズの記録紙がセットされていなければ、ステップＳ４に進む。
【００２４】
次に、ステップＳ４では、Ｂ５横向けサイズの記録紙がセットされているか否かが判定され、セットされていなければ、そのまま終了する。一方、Ｂ５横向けサイズの記録紙がセットされていれば、ステップＳ７に進み、送信結果レポ−トの最初のペ−ジをＢ５横向けサイズの記録紙に出力し、ステップＳ８に進む。
【００２５】
そして、ステップＳ８では、送信結果レポ−トの次ペ−ジが送信画像デ−タのみであるか否かが判定され、送信画像デ−タのみでない場合、ステップＳ９で次ペ−ジを出力して、ステップＳ８に戻る。一方、次ペ−ジが送信画像デ−タのみの場合には、次ペ−ジを出力することなく、終了する。この場合、図５に示すようにＢ５横向けサイズの記録紙には、上側に所要行数分を使って送信結果に関する情報が印字され、その下側に送信画像の一部が印字される。
【００２６】
従って、上記実施態様によると、上記主制御部１００内に、送信結果の送信情報および送信画像を記憶する記憶手段としてのＲＡＭ１０７が配されるとともに、このＲＡＭ１０７に記録された送信結果の情報に、送信画像を付加する編集手段１０８と、該編集手段１０８によって作成された送信結果レポ−トを記録紙の サイズに応じて分割する分割手段１０９と、該分割手段１０９によって分割された送信結果レポ−トの最終ペ−ジが送信画像のみの場合、該最終ペ−ジを出力しないように制御する出力制御手段１１０とを備え、上記ＲＡＭ１０７から、送信結果の情報と送信画像を読み出して、所定サイズで送信結果レポートを作成し、かつ上記記録紙センサ５７によって検出された記録紙サイズが上記所定サイズより小さい場合、分割出力される送信結果レポ−トの最終ページが送信画像のみであるとき、最終ペ−ジを出力しないようにした。これにより、送信結果レポ−トとして、本来不要な送信画像のみの出力が省かれるので、記録紙の節約になるとともに、ＦＡＸ送信後におけるファクシミリ装置の動作が早くなる。
【００２７】
【発明の効果】
以上のように、本発明は、上記送信結果の送信情報および送信画像を記憶する記憶手段と、上記記憶手段から、送信結果の送信情報と送信画像を読み出して、所定サイズで送信結果レポートを作成する編集手段と、セットされている記録紙サイズを検出する記録紙検出部と、上記記録紙検出部によって検出された記録紙サイズが上記所定サイズより小さい場合、送信結果レポ−トを分割出力させる分割手段と、分割された送信結果レポートの最終ページが送信画像のみであるとき、最終ペ−ジの記録紙への出力を禁止し、分割された送信結果レポートの最終ページが送信画像のみではないとき、最終ページの記録紙への出力を行う出力制御手段を備えた構成としたので、記録紙への無駄な出力動作を省くことができて、記録紙の節約につながるとともに、ファクシミリ装置の処理速度を向上させることができる。
【図面の簡単な説明】
【図１】  本発明の一実施態様に係るファクシミリ装置の全体構成を示す図である。
【図２】  上記ファクシミリ装置の内部構成図である。
【図３】  上記実施態様の制御系を示すブロック図である。
【図４】  上記実施態様の制御動作を示すフローチャートである。
【図５】  通信結果レポ−トの一例を示す図である。
【符号の説明】
５２  給紙カセット
５７  記録紙センサ
１００  主制御部
１０７  ＲＡＭ
１０８  編集手段
１０９  分割手段
１１０  出力制御手段
【図１】
0003793270.tif 000002
【図２】
0003793270.tif 000003
【図３】
0003793270.tif 000004
【図４】
0003793270.tif 000005
【図５】
0003793270.tif 000006